(57)【要約】      （修正有）【課題】万人が使用できるチェックシートを低コストで提供する。【解決手段】シート面上に図示された谷折り線１０３を境に第１領域１０１と第２領域１０２に区画され、谷折り線１０３に沿って折り曲げると第１領域１０１の上に第２領域１０２が重なると共に第１領域１０１には重なった第２領域１０２からはみ出しているはみ出し部を備え、当該はみ出し部には特定の身体の測定値を示した第１目盛り１０４及び診断結果１０５が図示されており、折り曲げて重なった第２領域１０２の表面には位置決めマーカ１０６及び他の特定の身体の測定値を示した第２目盛り１０７が図示されており、自分の身体の現在の状態に基づいて位置決めマーカ１０６を第１目盛り１０４の該当位置に合わせると、第２目盛り１０７における自分の現在の状態を示す目盛り位置が診断結果１０５を特定する構造のチェックシート。【選択図】図２
0003179862.tif 000002
【実用新案登録請求の範囲】
【請求項１】
シート面上に図示された谷折り線を境に第１領域と第２領域に区画され、
前記谷折り線に沿って折り曲げると前記第１領域の上に前記第２領域が重なると共に前記第１領域には重なった前記第２領域からはみ出しているはみ出し部を備え、
当該はみ出し部には特定の身体の測定値を示した第１目盛り及び診断結果が図示されており、
折り曲げて重なった前記第２領域の表面には位置決めマーカ及び他の特定の身体の測定値を示した第２目盛りが図示されており、
自分の身体の現在の状態に基づいて前記位置決めマーカを前記第１目盛りの該当位置に合わせると、前記第２目盛りにおける自分の現在の状態を示す目盛り位置が前記はみ出し部に示された診断結果を特定する構造とされている
ことを特徴とする健康状態チェックシート。
【請求項２】
請求項１において、
前記第１目盛りは身長を、前記第２目盛りは体重を示すことによって前記診断結果として肥満度が測定される
ことを特徴とする健康状態チェックシート。
【請求項３】
請求項１において、
前記第１目盛りは年齢を、前記第２目盛りは現在の残存歯数を示すことによって前記診断結果として将来の特定年齢における残存歯数が測定される
ことを特徴とする健康状態チェックシート。
【請求項４】
切り取り線が示されており、当該切り取り線に沿って切り取ると請求項１〜３のいずれかの健康状態チェックシートが完成する印刷物。
【考案の詳細な説明】
【技術分野】
【０００１】
本考案は、肥満度や将来の残存歯数等、現在又は将来の健康状態を簡単に測定する事ができるチェックシートに関する。
【背景技術】
【０００２】
従来より、複雑な計算等を行うことなく簡単に肥満度等の健康状態を測定することが可能な器具は考案されていた。例えば特許文献１に示されるように、身長に合わせた長さのメジャー裏面に体重値及び肥満度を示しておき、一つのメジャーで簡単に肥満度を確認できるというものである。
【先行技術文献】
【特許文献】
【０００３】
【特許文献１】実用新案登録第３０５０６６４号公報
【考案の概要】
【考案が解決しようとする課題】
【０００４】
しかしながら、特許文献１に記載のメジャ−の場合、身長毎にメジャーを用意する必要があるので、共通のメジャーを使って万人が肥満度を簡単に確認できるというものではない。また、身長に対応した長さのメジャーを用意する必要があるので取扱が不便である事に加え、作るにはそれなりのコストを要するため、例えば無料で配布するような使い方は容易ではない。
【０００５】
本考案は、上記問題点を解決するべくなされたものであって、万人が使用できると共にプリンタ等を使って紙などに簡単に印刷して使用する事ができるチェックシートを提供するものである。
【課題を解決するための手段】
【０００６】
上記課題を解消するべく本考案は、シート面上に図示された谷折り線を境に第１領域と第２領域に区画され、前記谷折り線に沿って折り曲げると前記第１領域の上に前記第２領域が重なると共に前記第１領域には重なった前記第２領域からはみ出しているはみ出し部を備え、当該はみ出し部には特定の身体の測定値を示した第１目盛り及び診断結果が図示されており、折り曲げて重なった前記第２領域の表面には位置決めマーカ及び他の特定の身体の測定値を示した第２目盛りが図示されており、自分の身体の現在の状態に基づいて前記位置決めマーカを前記第１目盛りの該当位置に合わせると、前記第２目盛りにおける自分の現在の状態を示す目盛り位置が前記はみ出し部に示された診断結果を特定する構造とされていることを特徴とする。
【０００７】
このような構成を採用したことによって、万人が共通して当該チェックシートを使って現在又は将来の健康状態を簡単に測定する事ができる。要するに、例えば紙に印刷された折り線に沿って折り曲げるだけで簡単にチェックシートを構成することができると共に、その折り曲げた状態で位置決めマーカを第１目盛りの該当位置（例えば自分の身長の目盛り位置）に合わせるだけで健康状態を診断することができる。更に紙などに印刷するだけでチェックシートを構成する事ができるので、必要となるコストも僅かであり、無料で配布するような使い方にも十分に対応することが可能となっている。
【０００８】
例えば具体的には、前記第１目盛りは身長を、前記第２目盛りは体重を示すことによって前記診断結果として肥満度が測定されるようなチェックシートを提供する事ができる。
【０００９】
またそれ以外にも、前記第１目盛りは年齢を、前記第２目盛りは現在の残存歯数を示すことによって前記診断結果として将来の特定年齢における残存歯数が測定されるようなチェックシートを提供する事もできる。もちろん測定する健康状態はこれらに限らない。
【００１０】
更に、切り取り線が示されており、当該切り取り線に沿って切り取ると請求項１〜３のいずれかの健康状態チェックシートが完成する印刷物として提供することもできるので、市販のコピー用紙等に切り取り線や使用方法を含めて印刷すれば、配布等の際に便利であるし、使用者も使い方を簡単に理解でき至極便利である。
【００１１】
本考案により、万人が使用できるチェックシートを低コストで提供する事ができる。
【図面の簡単な説明】
【００１２】
【図１】本考案に係る健康状態チェックシートが印刷された印刷物の正面図である。
【図２】本考案に係る健康状態チェックシートの正面図である。
【図３】健康状態チェックシートの使用手順を示した図である。
【図４】チェックシートの他の実施例を示した図である。
【考案を実施するための形態】
【００１３】
以下、添付図面を参照しつつ、本考案の実施形態の一例である健康状態チェックシート１００につき詳細に説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈健康状態チェックシートの構成〉
本考案に係る健康状態チェックシート（以下単に「チェックシート」という。）１００は、図１に示している通り、シート状の部材（例えばＡ４サイズのコピー用紙等）に印刷された印刷物１０の状態としてユーザーに提供される。またこの健康状態チェックシート１００は、具体的には、肥満の程度（肥満度）を簡単に測定するためのチェックシートである。
【００１５】
印刷物１０は、紙でもよいし樹脂等で構成されていてもよい。印刷物１０には切り取り線２０と共にチェックシート１００が印刷されている。それ以外にも、必要に応じて、当該チェックシートの名称や作り方、使用方法、更には健康状態を示す指標の算出式などが図示されている。
【００１６】
図１に示した印刷物１０から、切り取り線２０に沿ってチェックシート１００を切り取ると図２に示したチェックシート１００を単離する事ができる。
【００１７】
チェックシート１００は、２つの略矩形が上下にオフセットされて繋がった形状とされており、左右方向略中央に、谷折り線１０３が印刷により図示されている。当該谷折り線１０３を境に左側が第１領域１０１、右側が第２領域となる。
【００１８】
第１領域１０１には上方に身長（特定の身体の測定値）が目盛りとして表示された第１目盛り１０４が図示されている。具体的には本実施形態では、身長１５０ｃｍ〜１８０ｃｍにまで対応した目盛りが図示されている。もちろんこれ以上・以下の目盛りまで図示してもよい。また第１領域１０１の下方には、肥満度（測定結果）がエリア毎に区画されて表示されている。具体的には本実施形態では、右側から左側に向かって、標準〜低体重のエリア、肥満度１のエリア、肥満度２のエリア、肥満度３のエリア、肥満度４のエリアとして色分け（濃淡を含む）されて図示されている。なおこれら診断結果の具体的な説明はチェックシート１００自体に図示されていないが、印刷物１０に示されている。具体的には、ＢＭＩ（Ｂｏｄｙ  ｍａｓｓ  ｉｎｄｅｘ）の値が、１８．５未満を「低体重」、１８．５以上２５未満を「標準」、２５以上３０未満を「肥満度１」、３０以上３５未満を「肥満度２」、３５以上４０未満を「肥満度３」、４０以上を「肥満度４」としている。
【００１９】
第２領域１０２には、上下方向中程の位置に山折り線１１０が図示されている。この山折り線１１０よりも上方の位置には、塗りつぶしの三角形として示された位置決めマーカ１０６と、上辺に沿って体重（他の特定の身体の測定値）が目盛りとして表示された第２目盛り１０７が図示されている。具体的には本実施形態では、体重４０ｋｇ〜９０ｋｇにまで対応した目盛りが図示されている。もちろんこれ以上・以下の目盛りまで図示してもよい。また山折り線１１０より上方においては、山折り線１１０で折り曲げることを想定して文字等は上下逆さとなるように図示されている。
【００２０】
〈健康状態チェックシートの作用・機能〉
先ず最初に、印刷物１０からチェックシート１００を切り取り線２０に沿ってハサミやカッター等を使用して切り離す。その後図３（ａ）に示しているように、第２領域１０２を山折り線１１０に沿って山折りとなるように折り曲げる。具体的には、位置決めマーカ１０６や第２目盛り１０７が裏面側に位置する方向に折り曲げる。そうすると、第２領域１０２の高さは第１領域１０１の高さの略半分程度となる。
【００２１】
次にその状態で、谷折り線１０３に沿ってチェックシート１００を折り曲げる（図３（ｂ）参照）。具体的には、谷折り線１０３に沿って、第２領域１０２全体を第１領域１０１の上に重ねるように折り曲げる。そうすると、第２領域１０２よりも第１領域１０１の方が高さ方向に大きいので、谷折り線１０３に沿って折り曲げて重ね合わせると、第２領域１０２よりもはみ出すはみ出し部１０８、１０９が上下に現れる。上方の第１はみ出し部１０８には第１目盛り１０４が、下方の第２はみ出し部１０９には測定結果１０５が示されているので、第２領域１０２を重ね合わせてもこれら第１目盛り１０４や測定結果１０５は視認可能な状態となっている。また、裏側に位置していた位置決めマーカ１０６や第２目盛り１０７が当該折り曲げによって表面側に位置することとなる。
【００２２】
最後に、位置決めマーカ１０６の三角形の頂点部分を第１目盛り１０４における相当位置（現在の自分の身長を示す目盛りの位置）に位置決めするように第２領域１０２を左右方向にスライドさせる。例えば現在の身長が１７０ｃｍであれば、図３（ｃ）に示した位置に位置決めマーカ１０６を合わせる。
【００２３】
そうすると、この状態で第２領域１０２の下辺に示されている第２目盛り１０７も連動して左右方向にスライドして位置決めされる。その位置で第１領域１０１と第２領域１０２を固定した状態のまま、次に、第２目盛り１０７の相当位置（現在の自分の体重を示す目盛り位置）を確認する。
【００２４】
例えば現在の体重が８０ｋｇであるとすると、第２目盛り１０７において８０ｋｇを示す目盛りの位置を確認する。その位置に相当する（真下位置にある）測定結果１０５が下現在の自分の健康状態として示される（この場合は「肥満度１」という測定結果となる。）。
【００２５】
このように本考案に係るチェックシート１００は、印刷物１０からの切り取り、山折り線１００に沿った折り曲げ、谷折り線１０３に沿った折り曲げ、位置決めマーカ１０６の位置合わせという４つのアクションを経るだけで簡単に健康状態を把握する事が可能となっている。また紙等に印刷するだけで生産できるので、生産コストも極めて僅かであり、無料で配布するような場合にも十分に対応する事が可能となっている。
【００２６】
なお、上記では第２領域１０２の一部を山折り線１１０に沿って折り曲げることによって、位置決めマーカ１０６や第２目盛り１０７を第１目盛り１０４や測定結果１０５の裏面側に位置するように（谷折り線１０３に沿って折り曲げる前の状態で裏面側となるように）構成されていたが、両面印刷により最初から裏面側となるように構成することも可能である。その場合は山折り線に沿った折り曲げ工程は不要となり、更に少ないアクションでチェックシートを使用する事ができる。
【００２７】
上記では所謂「肥満度」を測定するためのチェックシートとして説明しているが、測定できる健康状態は肥満度に限られない。例えば図４に示しているように、将来の（ここでは具体的に８０歳となった時点での）歯の残存数を予測的に測定するチェックシート２００として構成することも可能である。ここでは第１目盛り２０４として現在の自分の年齢が目盛りとして示されており、第２目盛り２０７として現在の残存歯数が示されており、測定結果２０５として８０歳時点での残存歯数（予測値）が示されている。使い方は上記説明したチェックシート１００と同様である。
【符号の説明】
【００２８】
１０・・・印刷物
２０・・・切り取り線
１００・・・健康状態チェックシート
１０１・・・第１領域
１０２・・・第２領域
１０３・・・谷折り線
１０４・・・第１目盛り
１０５・・・診断結果
１０６・・・位置決めマーカ
１０７・・・第２目盛り
１０８・・・第１はみ出し部
１０９・・・第２はみ出し部
１１０・・・山折り線
【図１】
0003179862.tif 000003
【図２】
0003179862.tif 000004
【図３】
0003179862.tif 000005
【図４】
0003179862.tif 000006